【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
操作手段と、
複数種類の表示を実行可能な第三の表示手段と、
を備えた遊技台であって、
前記複数種類の表示のうちの一の表示は、装飾図柄の図柄変動表示（以下、「第二の表示」という。）であり、
前記複数種類の表示のうちの一の表示は、演出設定に関連する表示（以下、「第三の表示」という。）であり、
前記複数種類の表示のうちの一の表示は、演出設定に関連する表示（以下、「第四の表示」という。）であり、
前記第三の表示は、前記第二の表示が実行されていない状態で開始可能な表示であり、
前記第四の表示は、前記第二の表示が実行されていない状態で開始可能な表示であり、
前記第四の表示は、前記第二の表示が実行されている状態でも開始可能な表示であり、
前記操作手段の操作によって演出設定が行われ、
前記第三の表示が実行されている状態で前記第二の表示が開始される場合、該第三の表示が終了して該第二の表示が開始されるように構成されており、
前記第四の表示が実行されている状態で前記第二の表示が開始される場合、該第四の表示が終了して該第二の表示が開始されるように構成されている、
ことを特徴とする遊技台。
【請求項２】
請求項１に記載の遊技台であって、
音を出力可能な音出力手段を備え、
前記第四の表示は、前記音の音量の調整に関連する表示である、
ことを特徴とする遊技台。
【請求項３】
請求項１または請求項２に記載の遊技台であって、
前記第四の表示は、前記第二の表示の実行中においては第一の態様で表示可能な表示であり、
前記第四の表示は、前記第二の表示の非実行中においては第二の態様で表示可能な表示であり、
前記第二の態様は、前記第一の態様とは異なる態様である、
ことを特徴とする遊技台。
【請求項４】
請求項１乃至３のいずれか一項に記載の遊技台であって、
前記第四の表示は、前記第二の表示が開始された後であっても表示態様が変化しない表示である、
ことを特徴とする遊技台。
【請求項５】
請求項１乃至４のいずれか一項に記載の遊技台であって、
光を出力可能な光出力手段を備え、
前記第三の表示は、前記光の光量の調整に関連する表示である、
ことを特徴とする遊技台。
【請求項６】
請求項１乃至５のいずれか一項に記載の遊技台であって、
前記第二の表示は、装飾図柄の図柄変動表示である、
ことを特徴とする遊技台。
【請求項７】
請求項１乃至６のいずれか一項に記載の遊技台であって、
前記第三の表示手段は、第一の表示領域において前記第二の表示を実行可能な手段であり、
前記第三の表示手段は、第二の表示領域において前記第四の表示を実行可能な手段であり、
前記第二の表示領域の少なくとも一部の表示領域は、前記第一の表示領域の少なくとも一部の表示領域と重ならない表示領域である、
ことを特徴とする遊技台。
【請求項８】
請求項１乃至７のいずれか一項に記載の遊技台であって、
第一の制御手段と、
第二の制御手段と、
を備え、
前記第二の制御手段は、前記第一の制御手段からのコマンドに応じた制御を実行可能な手段であり、
前記第二の制御手段は、前記コマンドに応じて、前記第三の表示手段の制御を実行可能な手段である、
ことを特徴とする遊技台。
【請求項９】
請求項８に記載の遊技台であって、
複数の制御基板を備え、
前記複数の制御基板のうちの一の制御基板は、第一の制御基板であり、
前記複数の制御基板のうちの一の制御基板は、第二の制御基板であり、
前記第一の制御手段は、前記第一の制御基板を含んで構成される手段であり、
前記第二の制御手段は、前記第二の制御基板を含んで構成される手段である、
ことを特徴とする遊技台。
【請求項１０】
請求項１乃至９のいずれか一項に記載の遊技台であって、
前記遊技台は、ぱちんこ機である、
ことを特徴とする遊技台。
【手続補正２】
【補正対象書類名】明細書
【補正対象項目名】０００６
【補正方法】変更
【補正の内容】
【０００６】
本発明に係る遊技台は、操作手段と、複数種類の表示を実行可能な第三の表示手段と、を備えた遊技台であって、前記複数種類の表示のうちの一の表示は、装飾図柄の図柄変動表示（以下、「第二の表示」という。）であり、前記複数種類の表示のうちの一の表示は、演出設定に関連する表示（以下、「第三の表示」という。）であり、前記複数種類の表示のうちの一の表示は、演出設定に関連する表示（以下、「第四の表示」という。）であり、前記第三の表示は、前記第二の表示が実行されていない状態で開始可能な表示であり、前記第四の表示は、前記第二の表示が実行されていない状態で開始可能な表示であり、前記第四の表示は、前記第二の表示が実行されている状態でも開始可能な表示であり、前記操作手段の操作によって演出設定が行われ、前記第三の表示が実行されている状態で前記第二の表示が開始される場合、該第三の表示が終了して該第二の表示が開始されるように構成されており、前記第四の表示が実行されている状態で前記第二の表示が開始される場合、該第四の表示が終了して該第二の表示が開始されるように構成されている、ことを特徴とするものである。
【手続補正３】
【補正対象書類名】明細書
【補正対象項目名】０４３８
【補正方法】変更
【補正の内容】
【０４３８】
また、本実施形態に係る遊技台（例えば、パチンコ機１００）は、複数種類の表示を実行可能な第三の表示手段（例えば、第１副制御部４００、図３７（ａ−１）に示す装飾図柄表示装置２０８、図３８（ｅ−１）に示すメイン液晶２０８ａ,サブ液晶２０８ｂ、タッチパネル）を備えた遊技台であって、前記複数種類の表示のうちの一の表示は、演出表示（以下、「第二の表示」という。例えば、図３７（ｂ−２）〜（ｂ−４）に示す装飾図柄の変動表示）であり、前記複数種類の表示のうちの一の表示は、演出設定（第一の演出設定）に関連する表示（以下、「第三の表示」という。例えば、図３７（ａ−２）〜（ａ−５）に示すメーター表示（音量調整設定画面）、図３５（ｂ−１）に示すメニュー表示、遊技台の光出力手段（例えば、ランプ）の光量調整を行うための光量調整設定画面、パスワードを入力するためのパスワード設定画面や、キャラクタやＢＧＭを選択するための選択画面や、遊技台における遊技履歴を参照するための遊技履歴参照画面のうちの一つ）であり、前記複数種類の表示のうちの一の表示は、演出設定（第二の演出設定）に関連する表示（以下、「第四の表示」という。例えば、図３７（ａ−２）〜（ａ−５）に示すメーター表示（音量調整設定画面）、図３５（ｂ−１）に示すメニュー表示、遊技台の光出力手段（例えば、ランプ）の光量調整を行うための光量調整設定画面、パスワードを入力するためのパスワード設定画面や、キャラクタやＢＧＭを選択するための選択画面や、遊技台における遊技履歴を参照するための遊技履歴参照画面のうちの一つ）であり、前記第三の表示は、前記第二の表示が実行されていない状態で開始可能な表示であり、前記第四の表示は、前記第二の表示が実行されていない状態で開始可能な表示であり、前記第三の表示が実行されている状態で前記第二の表示が開始される場合、該第三の表示が終了して該第二の表示が開始されるように構成されており、前記第四の表示が実行されている状態で前記第二の表示が開始される場合、該第四の表示が終了することなく該第二の表示が開始されるように構成されている、ことを特徴とする遊技台である。
また、本実施形態に係る遊技台（例えば、パチンコ機１００）は、操作手段と、複数種類の表示を実行可能な第三の表示手段（例えば、第１副制御部４００、図３７等に示す装飾図柄表示装置２０８）と、を備えた遊技台であって、前記複数種類の表示のうちの一の表示は、装飾図柄の図柄変動表示（以下、「第二の表示（例えば、図３７（ｂ−２）〜同図（ｂ−４）や図３７（ｃ−２）〜同図（ｃ−３）に示す装飾図柄の変動表示）」という。）であり、前記複数種類の表示のうちの一の表示は、演出設定に関連する表示（以下、「第三の表示（例えば、図３７（ａ−１）〜同図（ａ−２）、図３７（ｂ−１）や同図（ｃ−１）に示す、決定ボタン７０２ｅの押下操作によってメニュー画面への移行が可能なことを示唆する表示（決定ボタン７０２ｅを模した画像表示と、「でメニュー画面表示」という文字表示））」という。）であり、前記複数種類の表示のうちの一の表示は、演出設定に関連する表示（以下、「第四の表示（例えば、図３７（ａ−２）、図３７（ｂ−１）〜同図（ｂ−２）や図３７（ｃ−１）〜同図（ｃ−３）に示すメーター表示）」という。）であり、前記第三の表示は、前記第二の表示が実行されていない状態で開始可能な表示（例えば、図３７（ａ−１）〜同図（ａ−２），同図（ｂ−１），同図（ｃ−１））であり、前記第四の表示は、前記第二の表示が実行されていない状態で開始可能な表示（例えば、図３７（ａ−２），同図（ｂ−１），同図（ｃ−１））であり、前記第四の表示は、前記第二の表示が実行されている状態でも開始可能な表示（例えば、図３７（ｂ−２）や図３７（ｃ−２）〜同図（ｃ−３））であり、前記操作手段の操作によって演出設定が行われ、前記第三の表示が実行されている状態で前記第二の表示が開始される場合、該第三の表示が終了して該第二の表示が開始されるように構成されており（例えば、図３７（ｂ−１）〜同図（ｂ−２）や図３７（ｃ−１）〜同図（ｃ−２））、前記第四の表示が実行されている状態で前記第二の表示が開始される場合、該第四の表示が終了して該第二の表示が開始されるように構成されている（例えば、図３７（ｂ−２）〜同図（ｂ−３））、ことを特徴とする遊技台である。
また、音を出力可能な音出力手段（例えば、図１、図４、図３７等に示すスピーカ１２０）を備え、前記第四の表示は、前記音の音量の調整に関連する表示（例えば、図３７（ｂ−１）〜同図（ｂ−２）や図３７（ｃ−１）〜同図（ｃ−３）に示すメーター表示）であってもよい。
また、前記第四の表示は、前記第二の表示の実行中においては第一の態様で表示可能な表示（例えば、図３７（ｂ−４）において「音量：６」）であり、前記第四の表示は、前記第二の表示の非実行中においては第二の態様（例えば、図３７（ａ−２）、図３７（ｂ−１）においてメーター表示）で表示可能な表示であり、前記第二の態様は、前記第一の態様とは異なる態様であってもよい。
また、前記第四の表示は、前記第二の表示が開始された後であっても表示態様が変化しない表示（例えば、図３７（ｃ−１）〜同図（ｃ−３）に示す表示）であってもよい。
また、光を出力可能な光出力手段（例えば、ＬＥＤやランプ）を備え、前記第三の表示は、前記光の光量の調整に関連する表示であってもよい。
また、前記第二の表示は、装飾図柄の図柄変動表示（例えば、図３７（ｂ−２）〜同図（ｂ−４）や図３７（ｃ−１）〜同図（ｃ−３）に示す表示）であってもよい。
また、前記第三の表示手段は、第一の表示領域において前記第二の表示を実行可能な手段であり、前記第三の表示手段は、第二の表示領域において前記第四の表示を実行可能な手段であり、前記第二の表示領域の少なくとも一部の表示領域は、前記第一の表示領域の少なくとも一部の表示領域と重ならない表示領域であってもよい。
また、第一の制御手段（例えば、主制御部３００）と、第二の制御手段（例えば、第１副制御部４００）と、を備え、前記第二の制御手段は、前記第一の制御手段からのコマンドに応じた制御を実行可能な手段であり、前記第二の制御手段は、前記コマンドに応じて、前記第三の表示手段の制御を実行可能な手段であってもよい。
また、複数の制御基板（例えば、主基板１５６、第１副基板１６０、第２副基板１６４）を備え、前記複数の制御基板のうちの一の制御基板は、第一の制御基板であり、前記複数の制御基板のうちの一の制御基板は、第二の制御基板であり、前記第一の制御手段は、前記第一の制御基板を含んで構成される手段であり、前記第二の制御手段は、前記第二の制御基板を含んで構成される手段であってもよい。また、前記遊技台は、ぱちんこ機であってもよい。